(57)【要約】【課題】ヘッドスライダの浮上面パターンの認識を精度良く行うことで、ヘッドスライダをサスペンションの所定の位置に高精度で取り付けることである。【解決手段】ヘッドスライダにマーカーを設け、保護膜及びマーカーに光を照射し、マーカーの反射光が多重干渉によりマーカー以外の部分の反射光よりも強い又は弱いことを利用して、その反射光を測定することでマーカーの位置を正確に認識し、ヘッドスライダをサスペンションの所定の位置に精度良く取り付ける。【選択図】図２
2009187616.tif 000002
【特許請求の範囲】
【請求項１】
媒体情報を再生又は記録するための素子部と、前記素子部を形成するための基板となる本体部と、前記本体部の回転する媒体表面に対向する浮上面に形成された保護膜及びマーカーとを有するヘッドスライダを、サスペンションに取り付けるヘッドサスペンション組立体の製造方法であって、
前記保護膜及びマーカーに光を照射したときに、前記保護膜での反射光と前記マーカーでの反射光の強度が異なり、
前記保護膜及びマーカーの反射光を測定することで得られる反射光の強度さを用いてマーカーの位置情報を取得し、前記ヘッドスライダを前記サスペンションの所定の位置に取り付けることを特徴とするヘッドサスペンション組立体の製造方法。
【請求項２】
前記保護膜と前記マーカーが同一材料で形成され、前記保護膜の膜厚と前記マーカーの膜厚が異なる構造であって、
前記マーカーの膜厚(d)、前記保護膜及び前記マーカーの屈折率(n1)、前記本体部の屈折率(n2)、n1>n2であって、本体部の浮上面に垂直な方向に対して入射角(θ)で、
【数１】
2009187616.tif 000009
の関係を満たす波長(λ)の光を照射し、前記光の反射光を本体部の浮上面に垂直な方向に対して-θの角度で測定することで得られる前記マーカーの位置情報を用いて、前記ヘッドスライダを前記サスペンションの所定の位置に取り付けることを特徴とする請求項１に記載のヘッドサスペンション組立体の製造方法。
【請求項３】
前記光の本体部の浮上面に垂直な方向に対する入射角が０°であって、
【数２】
2009187616.tif 000010
の関係を満たす波長(λ)の光を照射することを特徴とする請求項２に記載のヘッドサスペンション組立体の製造方法。
【請求項４】
前記保護膜と前記マーカーが同一材料で形成され、前記保護膜の膜厚と前記マーカーの膜厚が異なる構造であって、
前記マーカーの膜厚(d)、前記保護膜及び前記マーカーの屈折率(n1)、前記本体部の屈折率(n2)、n1<n2であって、本体部の浮上面に垂直な方向に対して入射角(θ)で、
【数３】
2009187616.tif 000011
の関係を満たす波長(λ)の光を照射し、前記光の反射光を本体部の浮上面に垂直な方向に対して-θの角度で測定することで得られる前記マーカーの位置情報を用いて、前記ヘッドスライダを前記サスペンションの所定の位置に取り付けることを特徴とする請求項１に記載のヘッドサスペンション組立体の製造方法。
【請求項５】
前記光の本体部の浮上面に垂直な方向に対する入射角が０°であって、
【数４】
2009187616.tif 000012
の関係を満たす波長(λ)の光を照射することを特徴とする請求項４に記載のヘッドサスペンション組立体の製造方法。
【請求項６】
媒体情報を再生又は記録するための素子部と、
前記素子部を形成するための基板となる本体部と、
前記本体部の回転する媒体表面に対向する浮上面に形成された保護膜及びマーカーと、を有し、
前記マーカーは、前記本体部の浮上面の空気流入側に配置される前方空気軸受け面よりも低いことを特徴とするヘッドスライダ。
【請求項７】
前記保護膜及び前記マーカーが同一材料で構成され、前記マーカーの膜厚(d)、前記保護膜及び前記マーカーの屈折率(n1)、前記本体部の屈折率(n2)、n1>n2であって、波長(λ)の光を本体部の浮上面に垂直な方向に対して入射角(θ)で照射した場合に、
【数１】
2009187616.tif 000013
の関係を満たすことを特徴とする請求項６に記載のヘッドスライダ。
【請求項８】
前記保護膜及び前記マーカーが同一材料で構成され、前記マーカーの膜厚(d)、前記保護膜及び前記マーカーの屈折率(n1)、前記本体部の屈折率(n2)、n1<n2であって、波長(λ)の光を本体部の浮上面に垂直な方向に対して入射角(θ)で照射した場合に、
【数３】
2009187616.tif 000014
の関係を満たすことを特徴とする請求項６に記載のヘッドスライダ。
【発明の詳細な説明】
【技術分野】
【０００１】
本発明は、ヘッドスライダ及びヘッドサスペンション組立体の製造方法に関する。さらに詳しくは、サスペンションの所定の位置にヘッドスライダを取り付けるヘッドサスペンション組立体の製造方法及びそのヘッドスライダの構造に関する。
【背景技術】
【０００２】
例えば、現在のハードディスク駆動装置では、高速で磁気ディスクが回転することで、空気をサスペンションで支持されたヘッドスライダと磁気ディスクの間に引き込んで、その加圧によりヘッドスライダを浮動させている。高密度化が進んだ場合には、浮上量は10nm以下となり、より安定したヘッドスライダの浮上が求められる。
【０００３】
ヘッドスライダを支持するサスペンションは突起を有し、ヘッドスライダの浮力に対向する弾性力は、突起を介してスライダに加えられる。一方、ヘッドスライダの浮力および浮力中心はヘッドスライダに形成された浮上面パターンにより決まる。
【０００４】
したがって、安定した浮上を得るためには、ヘッドスライダの浮上面パターンとサスペンションへの支持点の取付け後の位置関係が重要となる。現在では、ヘッドスライダの外形を画像認識して、サスペンションへの取り付け位置を合わせているのが一般的である。
【０００５】
しかし、ヘッドスライダの加工精度により、ヘッドスライダの浮上面パターンと、ヘッドスライダの外形の位置関係には一定のバラツキが生じる。したがって、ヘッドスライダを、外形を基準としてサスペンションの支持点の所定の位置に取付けても、ヘッドスライダの浮上姿勢が安定しなくなり、浮上安定性が損なわれる。
【０００６】
特開2005-149613には、ヘッドスライダ外形及び浮上面パターンを画像認識することで、ヘッドスライダの貼り付け位置を合わせる技術が提案されている。ヘッドスライダの浮上面パターンをサスペンションの所定の位置に精度良く取り付けることができる。
【特許文献１】特開2005-149613号公報
【発明の開示】
【発明が解決しようとする課題】
【０００７】
しかし、ヘッドスライダの浮上面パターンの凹凸は最も段差の小さい部分で０．１〜０．２μm程度であり、この凹凸を用いて精度良く浮上面パターンを認識するのは困難であった。浮上面パターンを正確に認識できなければ、浮上面パターンをサスペンションの所定の位置に精度良く取付けることはできない。
【０００８】
したがって、本発明の第一の目的は、安定した浮上が得られるヘッドサスペンション組立体の製造方法を提供することである。また、本発明の第二の目的は、ヘッドスライダをサスペンションの所定の位置に高精度で取り付けるヘッドサスペンション組立体の製造方法を提供することである。さらに、本発明の第三の目的は、ヘッドスライダの浮上面パターンの認識を精度良く行うためのヘッドスライダを提供することである。
【課題を解決するための手段】
【０００９】
本発明のヘッドスライダは、媒体情報を再生又は記録するための素子部と、素子部を形成するための基板となる本体部と、本体部の回転する媒体表面に対向する浮上面に形成された保護膜及びマーカーと、を有し、マーカーは、本体部の浮上面の空気流入側に配置される前方空気軸受け面よりも低いことを特徴とする。
【００１０】
また、本発明のヘッドスライダは、保護膜及びマーカーが同一材料で構成され、マーカーの膜厚(d)、保護膜及びマーカーの屈折率(n1)、本体部の屈折率(n2)、n1>n2であって、波長(λ)の光を本体部の浮上面に垂直な方向に対して入射角(θ)で照射した場合に、式（１）の関係を満たすことを特徴とする。
【００１１】
【数１】
2009187616.tif 000003
【００１２】
また、本発明のヘッドスライダは、保護膜及びマーカーが同一材料で構成され、マーカーの膜厚(d)、保護膜及びマーカーの屈折率(n1)、本体部の屈折率(n2)、n1<n2であって、波長(λ)の光を本体部の浮上面に垂直な方向に対して入射角(θ)で照射した場合に、式（３）の関係を満たすことを特徴とする。
【００１３】
【数３】
2009187616.tif 000004
【００１４】
本発明のヘッドサスペンション組立体の製造方法は、媒体情報を再生又は記録するための素子部と、素子部を形成するための基板となる本体部と、本体部の回転する媒体表面に対向する浮上面に形成された保護膜及びマーカーとを有するヘッドスライダを、サスペンションに取り付けるヘッドサスペンション組立体の製造方法であって、保護膜及びマーカーに光を照射したときに、保護膜での反射光と前記マーカーでの反射光の強度が異なり、保護膜及びマーカーの反射光を測定することで得られる反射光の強度さを用いてマーカーの位置情報を取得し、ヘッドスライダをサスペンションの所定の位置に取り付けることを特徴とする。
【００１５】
また、保護膜と前記マーカーが同一材料で形成され、保護膜の膜厚と前記マーカーの膜厚が異なる構造であって、マーカーの膜厚(d)、保護膜及びマーカーの屈折率(n1)、本体部の屈折率(n2)、n1>n2であって、本体部の浮上面に垂直な方向に対して入射角(θ)で、式（１）の関係を満たす波長(λ)の光を照射し、光の反射光を本体部の浮上面に垂直な方向に対して-θの角度で測定することで得られるマーカーの位置情報を用いて、ヘッドスライダをサスペンションの所定の位置に取り付けることを特徴とする。
【００１６】
さらに好ましくは、光の本体部の浮上面に垂直な方向に対する入射角が０°であって、式（２）の関係を満たす波長(λ)の光を照射することを特徴とする。
【００１７】
【数２】
2009187616.tif 000005
【００１８】
また、本発明のヘッドサスペンション組立体の製造方法は、媒体情報を再生又は記録するための素子部と、素子部を形成するための基板となる本体部と、本体部の回転する媒体表面に対向する浮上面に形成された第１の膜厚の保護膜と、浮上面に第１の膜厚と異なる膜厚の保護膜で形成されたマーカーとを有するヘッドスライダを、サスペンションに取り付けるヘッドサスペンション組立体の製造方法であって、マーカーの膜厚(d)、保護膜及びマーカーの屈折率(n1)、本体部の屈折率(n2)、n1>n2であって、本体部の浮上面に垂直な方向に対して入射角(θ)で、式（３）の関係を満たす波長(λ)の光を照射し、光の反射光を本体部の浮上面に垂直な方向に対して-θの角度で測定することで得られるマーカーの位置情報を用いて、ヘッドスライダをサスペンションの所定の位置に取り付けることを特徴とする。
【００１９】
さらに好ましくは、光の本体部の浮上面に垂直な方向に対する入射角が０°であって、式（４）の関係を満たす波長(λ)の光を照射することを特徴とする。
【００２０】
【数４】
2009187616.tif 000006
【発明の効果】
【００２１】
本発明のヘッドスライダによれば、ヘッドスライダの浮上面パターンの認識を精度良く行うことができる。また、本発明のヘッドスライダ及びヘッドサスペンション組立体の製造方法よれば、ヘッドスライダをサスペンションの所定の位置に高精度で取り付けることができる。さらに本発明のヘッドスライダを用いたヘッドサスペンション組立体及び本発明のヘッドサスペンション組立体の製造方法により製造したヘッドサスペンション組立体によれば、安定した浮上を得ることができる。
【発明を実施するための最良の形態】
【００２２】
以下、添付した図面に基づき本発明の実施形態を詳細に説明する。
【００２３】
図１は本発明の第１実施形態に係る記録ディスク駆動装置すなわちハードディスク駆動装置１の内部構造を概略的に示す。このハードディスク駆動装置１は、例えば平たい直方体の内部空間を区画する箱形の筐体本体２を備える。収容空間には、記録媒体としての１枚以上の磁気ディスク３が収容される。磁気ディスク３はスピンドルモータ４の回転軸に装着される。スピンドルモータ４は例えば７２００ｒｐｍや１００００ｒｐｍといった高速度で磁気ディスク３を回転させることができる。筐体本体２には、筐体本体２との間で収容空間を密閉する蓋体すなわちカバー（図示されず）が結合される。
【００２４】
収容空間には、垂直方向に延びる支軸５回りで揺動するキャリッジ６がさらに収容される。このキャリッジ６は、支軸５から水平方向に延びる剛体のアクチュエータアーム７と、このアクチュエータアーム７の先端に取り付けられるヘッドサスペンション組立体８とを備える。このヘッドサスペンション組立体８では、アクチュエータアーム７の先端から前方に向かってサスペンション９が延びる。サスペンション９の前端にはヘッドスライダ１０が支持される。ヘッドスライダ１０には、例えば、磁気ディスク３に情報を書き込む際に使用される薄膜磁気ヘッドといった書き込み素子（図示されず）と、磁気ディスク３から情報を読み取る際に使用されるトンネル接合磁気抵抗効果素子（ＴＭＲ）といった読み取り素子（図示されず）とが搭載される。
【００２５】
ヘッドスライダ１０には、磁気ディスク３の表面に向かってサスペンション９から押し付け力が作用する。磁気ディスク３の回転に基づき磁気ディスク３の表面で生成される気流の働きでヘッドスライダ１０には浮力が作用する。サスペンション９の押し付け力と浮力とのバランスで磁気ディスク３の回転中に比較的に高い剛性でヘッドスライダ１０は浮上し続けることができる。
【００２６】
こうしたヘッドスライダ１０の浮上中に、キャリッジ６が支軸５回りで揺動すると、ヘッドスライダ１０は半径方向に磁気ディスク３の表面を横切ることができる。こうした移動に基づきヘッドスライダ１０は磁気ディスク３上の所望の記録トラックに位置決めされる。このとき、キャリッジ６の揺動は例えばボイスコイルモータ（ＶＣＭ）といった駆動源１１の働きを通じて実現されればよい。複数枚の磁気ディスク１３が筐体本体２内に組み込まれる場合には、隣接する磁気ディスク３同士の間で２本のアクチュエータアーム７すなわち２つのヘッドサスペンション組立体８が配置される。
【００２７】
[ヘッドスライダの構造]
図２に本発明の第１実施例のヘッドスライダ１０の側面図を示す。図２（ａ）は、ヘッドスライダ１０を浮上面側から見た側面図を示す。図２（ｂ）は、図２（ａ）を図下方から見た側面図を示す。ヘッドスライダ１０は、主としてアルチック（Ａｌ2Ｏ3-ＴｉＣ)からなる本体部２１と絶縁層（例えばＡｌ2Ｏ3)からなる素子形成部２２とで構成される。動作時にヘッドスライダ１０が磁気ディスクと対向する面（以下、浮上面という。）側に流入端側パット２３及び流出端側パット２４からなる浮上面パターンが形成されている。流入端側から取り込まれる空気流が流入端側パット２３に当たり浮力を生じる。
【００２８】
流出端側パット２４は、素子部２５を備えており、本実施例では、ヘッドスライダ１０の幅方向の中央に設けられているが、幅方向端部に設けるようにしても良い。また、浮上面パターンはヘッドスライダ１０が媒体に近づけられる力（負圧力）が生じるように構成される場合もあり、必要に応じて様々な形状にすることができる。また、本体部２１、流入端側パット２３、流出端側パット２４上にはＤＬＣ（ダイヤモンドライクカーボン）からなる保護膜２６が浮上面全面に形成されている。ここで、位置認識に用いられるマーカー２７はマーカー２７以外の部分の保護膜２６よりも厚い膜厚で、反射光がマーカー２７以外の部分とは異なる条件で多重干渉するような材料、膜厚で形成されている。本実施例では、マーカー２７を３つ形成しているが、マーカー数が多ければ位置認識精度が向上するが１つであっても良い。
【００２９】
例えば、ヘッドスライダ１０の浮上面の全面に所定の膜厚で保護膜２６を形成し、マーカー２７部のみ保護膜２６が露出するようにレジストパターンを形成し、マーカー２７部のみさらに保護膜と同一材料又は異なる材料を積層することでマーカー２７は形成される。
【００３０】
図３に本発明の第２実施例のヘッドスライダ１０の側面図を示す。図３（ａ）は、ヘッドスライダ１０を浮上面側から見た側面図を示す。図３（ｂ）は、図３（ａ）を図下方から見た側面図を示す。なお、同一構成の部分については第１実施例と同符号で示す。ヘッドスライダ１０が本体部２１及び素子形成部２２から形成されている点や浮上面側に流入端側パット２３及び流出端側パット２４からなる浮上面パターンが形成されている点は第１実施例と同じである。但し、位置認識に用いられるマーカー２８はマーカー２８以外の部分の保護膜２６よりも薄い膜厚で、反射光がマーカー２８以外の部分とは異なる条件で多重干渉するような材料、膜厚で形成されている点が第１実施例とは異なる。
【００３１】
例えば、ヘッドスライダ１０の浮上面の全面に所定の膜厚で保護膜２６を形成し、マーカー２８部のみ保護膜２６が露出するようにレジストパターンを形成し、マーカー２８部の保護膜２６をエッチングして、マーカー２８部の保護膜の膜厚を薄くしてマーカー２８は形成される。さらに、異なる材料を積層して形成される場合もある。
【００３２】
図４に本発明の第３の実施例のヘッドスライダの側面図を示す。図４（ａ）は、ヘッドスライダ１０を浮上面側から見た側面図を示す。図４（ｂ）は、図４（ａ）を図下方から見た側面図を示す。なお、同一構成の部分については第１実施例と同符号で示す。ヘッドスライダ１０が本体部２１及び素子形成部２２から形成されている点や浮上面側に流入端側パット２３及び流出端側パット２４からなる浮上面パターンが形成されている点は第１実施例及び第２実施例と同じである。但し、位置認識に用いられるマーカー２９はマーカー２９以外の部分の保護膜２６と同じ膜厚で、反射光がマーカー２９以外の部分とは異なる条件で多重干渉するような材料で形成されている点が第１実施例とは異なる。
【００３３】
例えば、ヘッドスライダ１０の浮上面の全面に所定の膜厚で保護膜２６を形成し、マーカー２９部のみ保護膜２６が露出するようにレジストパターンを形成し、マーカー２９部の保護膜２６をエッチングして、マーカー２９部の保護膜の膜厚を薄くし、さらに、異なる材料を積層してマーカー２９は形成される。
【００３４】
以上のように、第１実施例から第３実施例では、マーカーは単一材料又は二つの材料で構成される場合について説明したが、マーカー部での反射光が多重干渉により、マーカー部以外の部分の反射光よりも強く又は弱くなるように設計されれば、マーカー部は三つ以上の異なる材料で構成されてもよい。
【００３５】
図５にヘッドスライダ１０のマーカー２７，２８表面での反射光とマーカー２７，２８と本体部２１の界面での反射光が多重干渉により強め合う条件を説明する説明図を示す。マーカー２７，２８の膜厚（ｄ）は、保護膜４の屈折率（ｎ１）、本体部の屈折率（ｎ２）とすると、波長（λ）の光を浮上面に垂直な方向に対して入射角（θ）で照射した場合に、n1>n2の場合は式（１）の関係を満たすと多重干渉を起し、n1<n2の場合は式（２）の関係を満たすと多重干渉を起し強め合うこととなる。例えば、空気の屈折率は１、ＤＬＣ（ダイヤモンドライクカーボン）の屈折率は２．４２、アルチック（Ａｌ2Ｏ3-ＴｉＣ)の屈折率は１．８、アルミナ（Ａｌ2Ｏ3）の屈折率は１．７６である。
【００３６】
式（１）を説明するため、空気から保護膜に入射角θ1で入射した２光線Ａ、Ｅを考える。光線Ａは空気と保護膜との境界面Ｂで屈折角θ2で屈折した後、保護膜と本体部の境界面Ｃで反射し、空気と保護膜の境界面Ｄに達した後再び空気中へ屈折する。一方、光線Ｅは空気と保護膜の境界面Ｄで反射し、光線Ａと干渉する。ＡＢＣＤＦ、ＥＤＦの２光線の経路差は、ＢＣに直交するＤからの足をＢ1、ＢＣの延長線とＤから鉛直に下ろした線との交点をＢ2とすると、式（５）の関係から、光線Ａと光線Ｅの光路差２ｎ1ｄcosθ2は式（６）で示す関係となる。
【００３７】
【数５】
2009187616.tif 000007
【００３８】
【数６】
2009187616.tif 000008
【００３９】
ここで、境界面Ｄでの反射光は、n1>1の関係から位相がπずれる。一方、境界面Ｃでの反射光は、n1>n2の場合には位相はずれないが、n1<n2の場合には位相がπずれる。したがって、式4と反射光の位相とから、n1>n2の場合は式（１）の関係を満たすと多重干渉を起し、n1<n2の場合は式（２）の関係を満たすと多重干渉を起こして強め合うこととなる。この光の干渉を利用することで、マーカー２７，２８の位置を明確に認識することができる。この場合、反射光は−θの角度で測定する。
【００４０】
特に、入射角0°となる場合には、n1>n2の場合は式（３）の関係を満たすと多重干渉を起し、n1<n2の場合は式（４）の関係を満たすと多重干渉を起こして強め合うこととなる。かかる場合には、入射光の光源部と反射光の測定部は同一部に設けることができ、入射光の光源部と反射光の測定部の位置合わせを行う必要がなく容易にマーカー位置を明確に認識することができる。
【００４１】
以上のように、主に、マーカー部において、反射光が多重干渉により強め合う条件について説明した。しかし、逆に、マーカー部において、反射光が多重干渉により弱めあう条件となるようにして、マーカー部の認識することもできる。
【００４２】
[ヘッドサスペンション組立体の製造方法]
次に、実施例１又は実施例２のヘッドスライダ１０をサスペンション９に取り付けてヘッドサスペンション組立体８を製造する方法について説明する。
【００４３】
図６は本発明に係るヘッドサスペンション組立体８の製造方法のフローチャートである。図７は、サスペンション９の先端側にヘッドスライダ１０を取り付ける方法を説明する説明図である。サスペンション９は、ロードビーム３１とロードビーム３１に一端が固定されたフレキシャ３２で構成される。また、フレキシャ３２は、ロードビーム３１上のディンプル３３に接している。ロードビーム３１上のディンプル３３は、プレス加工により形成される。したがって、図面Ａ方向からみると窪みが形成されている。このディンプル３３の反対面に形成される窪みの位置を確認し、ディンプル３３の位置を認識することができる(Ｓ１１)。
【００４４】
一方、ヘッドスライダ１０の浮上面に、例えば式（１）の条件を満たすように波長（λ）の光をＢ方向から入射角（θ）で照射する(Ｓ１２)。このときのヘッドスライダ１０の保護膜の屈折率n1と本体部の屈折率n2の関係は、n1>n2である。反射光を−θの角度でＣ方向から計測することで、マーカーで多重干渉により強められた光を利用して、ヘッドスライダ１０のマーカー位置を浮上面側から正確に認識し(Ｓ１３)、突起位置に対して所定の位置に浮上面パターンが配置されるように、ヘッドスライダ１０をフレキシャ３２上に配置する(Ｓ１４)。この状態でヘッドスライダ１０をフレキシャ３２に固定する(Ｓ１５)。ヘッドスライダ１０の固定には、接着剤や半田を用いることができる。
【００４５】
スライダ加工時の切断や研磨などの機械的な加工誤差に比べて、形成するマーカーの浮上面パターンに対する位置誤差は極めて小さく、ヘッドスライダの外形に対して浮上面パターンがずれていても、浮上面パターンと突起位置が精度良く所定の位置関係になるように位置決めすることができる。したがって、荷重重心と浮力重心を所定の位置関係に配置することができ、動作時に安定した浮上を得ることができる。なお、ヘッドスライダ１０の保護膜の屈折率n1と本体部の屈折率n2の関係が、n1<n2である場合には式（３）の関係を満たすように波長（λ）の光を入射角（θ）で照射することとなる。
【図面の簡単な説明】
【００４６】
【図１】本発明のハードディスク駆動装置（ＨＤＤ）の内部構造の概略図を示す。
【図２】本発明の第１実施例のヘッドスライダの側面図を示す。
【図３】本発明の第２実施例のヘッドスライダの側面図を示す。
【図４】本発明の第３実施例のヘッドスライダの側面図を示す。
【図５】ヘッドスライダのマーカー表面での反射光とマーカーと本体部の界面での反射光が多重干渉により強め合うことを説明する説明図を示す。
【図６】本発明に係るヘッドサスペンション組立体の製造方法のフローチャートを示す。
【図７】サスペンションの先端側にヘッドスライダを取り付ける方法を説明する説明図を示す。
【符号の説明】
【００４７】
1ハードディスク駆動装置
2筐体本体
3磁気ディスク
4スピンドルモータ
5支軸
6キャリッジ
7アクチュエータアーム
8ヘッドサスペンション組立体
9サスペンション
10ヘッドスライダ
11駆動源
21本体部
22素子形成部
23流入端側パット
24流出端側パット
25素子部
26保護膜
27マーカー
28マーカー
29マーカー
31ロードビーム
32フレキシャ
33ディンプル
【図１】
2009187616.tif 000015
【図２】
2009187616.tif 000016
【図３】
2009187616.tif 000017
【図４】
2009187616.tif 000018
【図５】
2009187616.tif 000019
【図６】
2009187616.tif 000020
【図７】
2009187616.tif 000021